(57)【要約】【課題】畜舎内に設定した複数の送風装置と換気装置とを畜舎温度に応じて同時に駆動したり送風装置のみを駆動することによって、畜舎内を常に清浄に維持して家畜の飼育環境を向上させるようにした畜舎用換気装置を提供する。【解決手段】  畜舎１内に所定数吊設して気流を生起させる送風装置２と、前記畜舎１内の壁体に取付けられて送風装置２の駆動により生起した畜舎１内の気流を外部に強制排出させる換気装置３と、前記換気装置３の駆動時は事前に換気装置３のシャッター５を開放し、換気装置３の停止時は該換気装置３の停止後シャッター５を閉鎖させるシャッター開閉電動機６ｂと、畜舎１内温度検出手段２５と、さらに、前記送風装置２と換気装置３およびシャッター開閉電動機６ｂを、それぞれ畜舎１内の温度状況に対応して駆動制御する制御装置１０とを具備して構成したことを特徴とする。【選択図】図２
2007093062.tif 000002
【特許請求の範囲】
【請求項１】
畜舎内に所定数吊設して気流を生起させる送風装置と、前記畜舎内の壁体に取付けられて送風装置の駆動により生起した畜舎内の気流を外部に強制排出させる換気装置と、前記換気装置の駆動時は事前に換気装置のシャッターを開放し、換気装置の停止時は該換気装置の停止後シャッターを閉鎖させるシャッター開閉電動機と、畜舎内温度検出手段と、さらに、前記送風装置と換気装置およびシャッター開閉電動機を、それぞれ畜舎内の温度状況に対応して駆動制御する制御装置とを具備して構成したことを特徴とする畜舎用換気装置。
【請求項２】
前記シャッター開閉電動機は、制御装置から出力されるシャッター「開」、「閉」指令信号により駆動して換気装置のシャッターを開・閉させるとともに、前記シャッターの開放・閉鎖状態を、換気装置に具備させたシャッター開放検出手段とシャッター閉鎖検出手段とにより確認して停止させるように構成したことを特徴とする請求項１記載の畜舎用換気装置。
【請求項３】
前記制御装置は、送風装置の駆動後シャッター「開」指令を出力するシャッター「開」指令手段と、シャッター「開」指令にて開放されたシャッターの開放を確認する前記シャッター開放検出手段より検出信号が制御装置に入力されたとき換気装置を駆動させる換気装置駆動手段と、シャッター「閉」指令を出力するシャッター「閉」指令手段と、シャッター「閉」指令にて換気装置の駆動を停止させる換気装置停止手段とを具備し、前記換気装置の停止後シャッター「閉」指令にてシャッターが閉鎖されたことを、前記シャッター閉鎖検出手段から制御装置への検出信号の入力により確認するように構成したことを特徴とする請求項１ないし２記載の畜舎用換気装置。
【請求項４】
前記制御装置は、畜舎温度入力手段を備えて畜舎温度検出手段にて検出した畜舎内の温度が設定温度より下に降下したときは、換気装置停止手段にて換気装置の駆動を停止させるとともに、前記換気装置停止手段からの指令信号にてシャッター「閉」指令手段を作動させ、シャッター開閉電動機を、シャッター閉鎖検出手段にて換気装置のシャッター閉鎖を確認するまで駆動させてシャッターを閉鎖するように構成したことを特徴とする請求項２ないし３記載の畜舎用換気装置。
【請求項５】
前記制御装置は、畜舎温度入力手段と送風装置の送風量増減手段とを備え、畜舎内の温度が設定温度より下に降下したときは、畜舎温度入力手段からの指令信号にて換気装置の駆動を換気装置停止手段を作動させて停止させるとともに、前記換気装置停止手段からの指令信号にてシャッター「閉」指令手段を作動させ、シャッター開閉電動機をシャッター閉鎖検出手段にてシャッターの閉鎖を確認するまで駆動させて換気装置のシャッターを閉鎖し、かつ、前記畜舎温度入力手段からの指令信号にて送風量増減手段を作動させて、畜舎内に配設した送風装置の送風量を降下温度に応じて低減させるように構成したことを特徴とする請求項２ないし４記載の畜舎用換気装置。
【請求項６】
前記制御装置は、畜舎温度入力手段と送風装置の送風量増減手段とを備え、畜舎内の温度が設定温度を超えたときは、畜舎温度入力手段からの指令信号にて畜舎内に配設した送風装置の送風量を前記温度上昇に応じて増大させるように構成したことを特徴とする請求項４ないし５記載の畜舎用換気装置。
【請求項７】
前記制御装置は、畜舎温度入力手段と送風装置の送風量増減手段とを備え、畜舎内の温度が設定温度より下の状態から設定温度に達したとき、あるいは、設定温度を超えたときは、畜舎温度入力手段からの指令信号にてシャッター「開」指令手段を作動させ、シャッター開閉電動機を、シャッター開放検出手段によりシャッターの開放を確認するまで駆動させて換気装置のシャッターを開放させた後、換気装置駆動手段より換気装置に駆動指令を出力して換気装置を駆動させるとともに、送風装置の送風量を畜舎内の温度上昇に応じて増大させるように構成したことを特徴とする請求項３ないし６記載の畜舎用換気装置。
【請求項８】
前記制御装置は、送風装置を送風装置停止手段にて停止させた後、送風装置停止手段からの指令信号にて換気装置停止手段を作動させて換気装置を停止させるとともに、前記換気装置停止手段からの指令信号にてシャッター「閉」指令手段を作動させて、シャッター開閉電動機を、シャッター閉鎖検出手段にて換気装置のシャッター閉鎖を確認するまで駆動させてシャッターを閉鎖するように構成したことを特徴とする請求項３ないし７記載の畜舎用換気装置。
【発明の詳細な説明】
【技術分野】
【０００１】
本発明は、畜舎内に複数台配設した送風装置や換気装置を畜舎内の環境（温度）条件に対応して駆動させることにより、畜舎内を飼育に適した換気状態に維持するようにした畜舎用換気装置の改良に関する。
【背景技術】
【０００２】
従来から、牛舎，豚等の畜舎には、建屋の面積に応じて複数の畜舎用送風装置（大形換気扇）が、例えば、畜舎の壁体にその長手方向に沿って設置されている。これは、夏場から秋にかけて家畜の暑さに対する疲労（夏ばて）を防ぐとともに、晩秋や初夏においては日中と朝・夕方の温度差を解消して家畜がカゼをひかぬようにしたり、あるいは、畜舎の床に敷きつめたわらやおがくずからなる敷物を乾燥させたり、畜舎内の糞尿や家畜の体臭等から発する悪臭を畜舎外に排出して、常に畜舎内の飼育環境を良好に維持して家畜を衛生的で、かつ、健康的な状態で飼育するために行われている（例えば、特許文献１参照）。
【０００３】
前記の畜舎用送風装置は、畜舎内をその長手方向に対して複数のブロックに仮想分割し、各ブロックの畜舎内には、畜舎内の環境状況を感知する温度センサ等のセンサを設置するとともに、各ブロック毎に、そのブロック内の畜舎内を換気する大形換気扇を畜舎の長手方向の側壁に設置し、各ブロック毎の大形換気扇の回転数を制御するインバータを各ブロック毎に設置し、各ブロック毎のセンサからのデータを目標データと比較してインバータに伝達する子シーケンサを各ブロック毎に設け、各ブロック毎に独立して換気を行うようにし、更に、畜舎内の天井壁に畜舎内の長手方向に対して空気流出用のスリットを設け、大形換気扇から圧送空気をスリットより畜舎内に送るようにして、畜舎内全域の換気効率を良好にし、畜舎内の温度を所定温度に維持するように構成されている。
【０００４】
【特許文献１】特公平３−６２９７８号（第１〜２頁、第２図）
【発明の開示】
【発明が解決しようとする課題】
【０００５】
前述した畜舎用送風装置においては、畜舎内をその長手方向に対して複数のブロックに仮想分割し、そのブロック毎に設けた環境状態（温度センサ、臭気センサ等）を探知するセンサによって、そのブロック毎に畜舎の側壁に所定数設置した大形換気扇の回転数をインバータ制御し、ブロック毎に換気を行うようにしたので、従来の如く畜舎の妻面において、畜舎の長手方向に対する換気を行う場合に比べて畜舎内の換気をある程度向上させることができる反面、前記畜舎の側壁間、即ち、横手方向は長手方向に比べて間隔寸法は短いものの、ある程度の幅寸法を備えている関係上、大形換気扇の位置する部位での風圧は、その離れる距離に比例して相当斬減することになる。
【０００６】
この結果、畜舎内の中央部分においては、供給空気量が不均一となり、その部位を他の部位（畜舎の側壁近傍付近）に比べて飼育に適した環境に保持することが困難であった。即ち、大形換気扇を設置した部位と、大形換気扇から離れている部位とでは、供給風量が異なるため、畜舎内において飼育環境の異なる部位が存在することになり、同一畜舎において家畜類を同一の換気条件で飼育することは困難であった。
【０００７】
その上、各ブロック毎に設置した大形換気扇の回転数を制御するインバータを各ブロック毎に設置し、各ブロック毎のセンサからのデータを目標データと比較してインバータに送出するシーケンスを各ブロック毎に設け、各ブロック毎に独立して換気を行うように構成されているため、大型換気扇の回転数制御を行うための制御部材が各ブロック毎に必要とされていたので、畜舎用の大形換気扇を駆動制御するために部品を余分に必要とするという問題もあった。
【０００８】
本発明は、前記の種々な問題点に鑑み、畜舎内をどの部位においても均一な換気条件に維持可能とした畜舎用換気装置を提供することを目的とする。
【課題を解決するための手段】
【０００９】
前記の問題点を解決するために、請求項１記載の発明は、畜舎内に所定数吊設して気流を生起させる送風装置と、前記畜舎内の壁体に取付けられて送風装置の駆動により生起した畜舎内の気流を外部に強制排出させる換気装置と、前記換気装置の駆動時は事前に換気装置のシャッターを開放し、換気装置の停止時は該換気装置の停止後シャッターを閉鎖させるシャッター開閉電動機と、畜舎内温度検出手段と、更に、前記送風装置と換気装置およびシャッター開閉電動機を、それぞれ畜舎内の温度状況に対応して駆動制御する制御装置とを具備して構成したことを特徴とする。
【００１０】
請求項２記載の発明は、請求項１記載の畜舎用換気装置において前記シャッター開閉電動機は、制御装置から出力されるシャッター「開」、「閉」指令信号により駆動して換気装置のシャッターを開閉させるとともに、前記シャッターの開放・閉鎖状態を、換気装置に具備させたシャッター開放検出手段とシャッター閉鎖検出手段とにより確認して停止させるように構成したことを特徴とする。
【００１１】
請求項３記載の発明は、請求項１ないし２記載の畜舎用換気装置において、前記制御装置は、送風装置の駆動後シャッター「開」指令を出力するシャッター「開」指令手段と、シャッター「開」指令にて開放されたシャッターの開放を確認する前記シャッター開放検出手段より検出信号が制御装置に入力されたとき換気装置を駆動させる換気装置駆動手段と、シャッター「閉」指令を出力するシャッター「閉」指令手段と、シャッター「閉」指令にて換気装置の駆動を停止させる換気装置停止手段とを具備し、前記換気装置の停止後シャッター「閉」指令にてシャッターが閉鎖されたことを、前記シャッター閉鎖検出手段から制御装置への検出信号の入力により確認するように構成したことを特徴とする。
【００１２】
請求項４記載の発明は、請求項２ないし３記載の畜舎用換気装置において、前記制御装置は、畜舎温度入力手段を備えて畜舎温度検出手段にて検出した畜舎内の温度が設定温度以下に降下したときは、換気装置停止手段にて換気装置の駆動を停止させるとともに、前記換気装置停止手段からの指令信号にてシャッター「閉」指令手段を作動させ、シャッター開閉電動機を、シャッター閉鎖検出手段にて換気装置のシャッター閉鎖を確認するまで駆動させてシャッターを閉鎖するように構成したことを特徴とする。
【００１３】
請求項５記載の発明は、請求項２ないし４記載の畜舎用換気装置において、前記制御装置は、畜舎温度入力手段と送風装置の送風量増減手段とを備え、畜舎内の温度が設定温度より下に降下したときは、畜舎温度入力手段からの指令信号にて換気装置の駆動を換気装置停止手段を作動させて停止させるとともに、前記換気装置停止手段からの指令信号にてシャッター「閉」指令手段を作動させ、シャッター開閉電動機をシャッター閉鎖検出手段にてシャッターの閉鎖を確認するまで駆動させて換気装置のシャッターを閉鎖し、かつ、前記畜舎温度入力手段からの指令信号にて送風量増減手段を作動させて畜舎内に配設した送風装置の送風量を降下温度に応じて低減させるように構成したことを特徴とする。
【００１４】
請求項６記載の発明は、請求項４ないし５記載の畜舎用換気装置において、前記制御装置は、畜舎温度入力手段と送風装置の送風量増減手段とを備え、畜舎内の温度が設定温度を超えたときは、畜舎温度入力手段からの指令信号にて畜舎内に配設した送風装置の送風量を温度上昇に応じて増大させるように構成したことを特徴とする。
【００１５】
請求項７記載の発明は、請求項３ないし６記載の畜舎用換気装置において、前記制御装置は、畜舎温度入力手段と送風装置の送風量増減手段とを備え、畜舎内の温度が設定温度より下の状態から設定温度に達したとき、あるいは、設定温度を超えたときは、畜舎温度入力手段からの指令信号にてシャッター「開」指令手段を作動させ、シャッター開閉電動機を、シャッター開放検出手段によりシャッター開放を確認するまで駆動させて換気装置のシャッターを開放させた後、換気装置駆動手段より換気装置に駆動指令を出力して換気装置を駆動させるとともに、送風装置の送風量を畜舎内の温度上昇に応じて増大させるように構成したことを特徴とする。
【００１６】
請求項８記載の発明は、請求項３ないし７記載の畜舎用換気装置において、前記制御装置は、送風装置を送風装置停止手段にて停止させた後、送風装置停止手段からの指令信号にて換気装置停止手段を作動させて換気装置を停止させるとともに、前記換気装置停止手段からの指令信号にてシャッター「閉」指令手段を作動させ、シャッター開閉電動機を、シャッター閉鎖検出手段にて換気装置のシャッター閉鎖を確認するまで駆動させてシャッターを閉鎖するように構成したことを特徴とする。
【発明の効果】
【００１７】
請求項１記載の発明においては、畜舎内の長手方向に所定の間隔を有して吊設されて、畜舎内に気流を生起させるように配設した複数の送風装置と、前記畜舎内の長手方向の端部両側に位置する畜舎の妻面に所定数取付けられて、前記送風装置にて生起した畜舎内の気流を外部に排出する換気装置と、前記換気装置に該換気装置の駆動前および停止後において自動開閉するシャッターを具備して畜舎用換気装置を構成するようにしたので、畜舎内は常に複数の送風装置による駆動にて生起される気流により畜舎内のどの部位においても、均一に生起された気流の供給を行うことができるため、畜舎内を良好に乾燥（換気）した状態に維持することができるとともに、畜舎の長手方向端部の妻面に取付けた換気装置の駆動により、畜舎内に生起した気流を畜舎外に排出することができるので、畜舎内は常に前記送風装置と換気装置との存在により、畜舎内の湿気や家畜の臭気を含んだ空気（気流）を畜舎外に排出し、畜舎の外から新鮮で清浄な外気を畜舎内に取り入れることが可能となり、これにより、畜舎内は常に新鮮な気流により換気を促進させることができるので、家畜の飼育環境を良好に向上させることができるとともに、家畜を衛生的に、しかも、安心して飼育することを可能とした。
【００１８】
請求項２記載の発明においては、換気装置を該換気装置に取付けたシャッター開閉電動機の駆動により、シャッターが完全に開放したことをシャッター開放検出手段にて確認したとき駆動させ、逆に、換気装置を停止するときは、シャッター閉鎖検出手段が作動していないことを確認して換気装置の駆動を停止させ、この後、シャッター開閉電動機を駆動してシャッターを閉鎖し、かつ、シャッターの閉鎖を前記シャッター閉鎖検出手段により確認してシャッター開閉電動機を停止させるように構成したので、換気装置に設けたシャッターの開閉は、常にシャッター開放・閉鎖検出手段による換気装置の駆動前、あるいは、駆動停止の確認を行ってから開閉することができるようにしたため、換気装置を駆動している状態でのシャッターの開閉を確実に防止することが可能となり、これにより、換気装置の風圧によってシャッターが損傷するという問題が未然に防止でき、しかも、換気装置の駆動・停止を確実に行うことができ、至便である。
【００１９】
請求項３記載の発明においては、送風装置の駆動およびシャッターの開放確認後換気装置を駆動させ、シャッター閉鎖時は、換気装置の駆動を停止させた後シャッターを閉鎖するように制御装置を構成したので、畜舎内での気流の生起を行う送風装置と、畜舎内の気流を外部に排出して新鮮な外気を畜舎内に流入させる換気装置の駆動とを、シャッターの開放時とほぼ同時に行うことができるため、畜舎内の気流の流通をシャッターの損傷を確実に排除して円滑に行うことができる。また、畜舎内外の気流の流通を行わないときは、換気装置の停止後シャッターを自動閉鎖するように構成されているので、換気装置の運転中にシャッターを閉鎖することによるシャッターの破損を確実に防ぐことができるとともに、畜舎内は送風装置のみを駆動させて生起した気流を畜舎内に循環させることができるので、夜間とか畜舎の内・外において温度差が大きいときは、畜舎内でのみ気流を循環させることにより畜舎内のどの部位においてもほぼ均一な温度に維持することができるため、家畜の飼育環境を良好に維持することができる。
【００２０】
請求項４記載の発明においては、畜舎内の温度が所定の設定温度より下に降下した場合は、換気装置の駆動を一旦停止させて、シャッターを閉鎖した状態で送風装置の駆動を継続して畜舎内に気流のみを循環させるように制御装置を構成したので、畜舎内の温度より低い外気の流入を確実に阻止して畜舎内の温度低下を良好に抑制することができるため、畜舎内の飼育環境を低下させることなく飼育環境を維持することが可能となり、家畜を良好な環境下で飼育を行うことができ至便であるとともに、換気装置を使用しないので畜舎内の飼育環境を省エネ運転にて維持できるという利点も備えている。
【００２１】
請求項５記載の発明においては、畜舎内の温度が所定の設定温度より下に降下したときは、換気装置の駆動停止と同時にシャッターを閉鎖するとともに、送風装置の送風量を畜舎内の降下温度に応じて低減することができるように制御装置を構成したので、畜舎内の温度が設定温度より下に降下したとしても、降下した温度状況に応じて送風装置の送風量を家畜の飼育に影響を与えないように制御することができるため、畜舎内を換気装置の運転停止と送風装置による送風の継続（送風量の低減）により、換気装置設置部位付近の温度低下を良好に防ぐことができ、畜舎内のどの部位においてもほぼ均一な温度にて気流の生成・循環を行うことが可能となり、家畜は外気温度による影響を少なくして良好に飼育することができ、至便である。
【００２２】
請求項６記載の発明においては、畜舎内の温度が所定の設定温度を超えた場合は、送風装置の送風量を温度上昇に応じて増加するように制御装置を構成したので、畜舎内は送風量の増加に伴い、増加した多量の気流を早期に畜舎外に排出（換気装置）させることにより外気との流通が良好に促進でき、これにより畜舎内の気流と外気との交流が活発に行い得、畜舎内の温度上昇を効果的に抑制することができるため、畜舎内の温度上昇に伴う飼育環境の悪化を良好に抑制することができるという利点がある。
【００２３】
請求項７記載の発明においては、畜舎内の温度が所定の設定温度より下の状態から外気温度の上昇に伴い設定温度に達したとき、あるいは、設定温度を超えて上昇した場合は、送風装置の送風量を温度上昇に対応して増加させるとともに、シャッターを開放して換気装置を駆動することにより畜舎内の温度を設定温度を超えて上昇するのを抑制するように制御装置を構成したので、例えば、午前中は外気温度が設定温度より下であっても、外気温度が時間の経過とともに徐々に上昇し、畜舎内の温度が設定温度に到達したり、設定温度を超えた場合は、直ちに換気装置のシャッターを自動開放して換気装置を駆動させるとともに、送風装置の送風量自体を温度上昇に対応して自動的に増加することができるため、畜舎内は外気温度の上昇によって急激に温度が上昇するのを良好に抑制して徐々に上昇させるようにしたので、飼育環境の急変に伴い家畜に悪影響を与えるという問題を抑制して飼育することができるため、利便である。
【００２４】
請求項８記載の発明においては、畜舎内において送風装置を停止させる場合、最初に送風装置を停止させ、次に送風装置が停止したことを示す指令信号に基づき換気装置を停止し、この後換気装置が停止したことを示す指令信号を受けてシャッター開閉電動機を駆動させてシャッターを閉鎖するように制御装置が構成されているので、換気装置に備付けられたシャッターは、送風装置や換気装置の駆動により生じる風圧を受けることなくスムーズに閉鎖することができるため、換気装置の停止時におけるシャッターの損傷を良好に回避することができる。また、畜舎内における気流の発生および気流の流通を停止して、シャッターを閉鎖するようにしたので、シャッターが閉鎖する直前まで送風装置、換気装置は運転しているため、シャッターが閉鎖するまでの間に外気が必要以上に畜舎内に流入することによる飼育環境の悪化も効果的に回避できるという利点も備えている。
【発明を実施するための最良の形態】
【００２５】
以下、本発明の実施例を図１ないし図８によって説明する。図１は牛等の家畜を飼育する畜舎を示し、この畜舎１内には、その長さ方向に沿って複数の送風装置２が、例えば、所定の間隔を保って２列に配列された状態で、畜舎１内に気流を生起するように吊設されている。また、畜舎１の長さ方向の両端に位置する妻面１ａには、畜舎１内に送風装置２により生起させた気流を畜舎１外に排出させるために換気装置３が取付けられており、この換気装置３には図１，６で示すように、妻面１ａの換気装置取付用の窓４を、換気装置３の駆動・停止と呼応してシャッター５を開閉するシャッター装置９（図６参照）が具備されている。
【００２６】
前記送風装置２は、図１に示すように電動機６に取付けた気流生起用の送風ファン７と、前記電動機６を支持する電動機支持枠体８とによって概略構成されており、畜舎１の天井部から垂設した吊持用の鎖等にて畜舎１内の所要高さ位置に吊持されている。
【００２７】
また、畜舎１の妻面１ａに取付けられている換気装置３は、図６に示すように、電動機６ａに取付けた畜舎１内の気流排出用の換気ファン７ａと、前記電動機６ａを支持して畜舎１妻面１ａの窓４に支持体４ａを介して装着される電動機支持枠体８ａと、更に、換気ファン７ａの前方において、窓４内に支持体４ａを介して収容した前記窓４開閉用のシャッター装置９とによって概略構成されている。
【００２８】
次に、前記畜舎１内に配設した送風装置２と換気装置３とを電気的に結線した状態を図２に示す畜舎用換気装置の概略配線図によって説明する。図２において、１１は送風装置２および換気装置３に駆動電力を供給する駆動電源を示し、商用電源（１００Ｖ，２００Ｖ）、あるいは、自家用発電装置にて発電した電源からなる。そして、前記送風装置２と換気装置３は図２に示すように、駆動電源１１に対してそれぞれ電力線１１ａを介して並列接続されている。
【００２９】
前記電力線１１ａに接続されて畜舎１内の天井に吊設された各送風装置２は、図２に示すように、制御装置１０から出力され信号線１０ａを通して伝送される制御指令信号に従って作動する運転制御部１２と、この運転制御部１２から出力される制御指令信号により駆動制御されて電動機６の回転数を可変させて気流の発生量（風量）を任意に変更させるインバータ１３を具備して構成されている。なお、図２において、１１ｂは駆動電源１１に接続されて前記制御装置１０に制御電源を供給するための定電圧電源装置である。
【００３０】
次に、送風装置２と同様に駆動電源１１に電力線１１ａを介して接続した換気装置３の構成について説明する。換気装置３は図６に示すように、基本的には前記のように、電動機６ａとシャッター装置９とからなり、電動機６ａは電動機支持枠体８ａの中心において挟着された状態で、畜舎１妻面１ａの窓４に取付けられた換気装置３の箱状に形成されたシャッター枠９ａに、前記電動機支持枠体８ａを介して取付けられている。
【００３１】
つづいて、換気装置３に付設されたシャッター装置９の構成について説明する。シャッター装置９は妻面１ａの窓４に装着したシャッター枠９ａ内にて構成されており、このシャッター枠９ａには図６，８に示すように、このシャッター枠９ａの開口部（窓４内の空間４ｂ部分）を開閉するために、開口部両端に設けたシャッターフランジ１４をシャッター枠９ａの内側壁に突設した支持ピン１５に回転自在に支持された複数枚の板体からなるシャッター５が設けられており、各シャッター５のシャッターフランジ１４の上部は、開閉位置決めを行うための連結板１６によって連結駆動（開閉）可能に枢着されている。
【００３２】
そして、前記連結板１６はシャッター開閉電動機６ｂにて駆動される。即ち、図６において、シャッター開閉電動機６ｂはシャッター枠９ａ内の連結板１６と換気ファン７ａとの間に設置されている。このシャッター開閉電動機６ｂは減速機構および正転・逆転機能を内蔵して構成されており、連結板１６とは基端リンク１７と、従動リンク１８および連結板１６に該連結板１６と直交する水平方向に突設した連結片１９を介して駆動可動に連結されている。
【００３３】
図６において、２０は連結板１６の下端に垂設した手動操作杆で、停電時手動にて操作することによりシャッター５を開閉する。また、２１はシャッター５が所定位置で閉鎖されてたとき、従動リンク１８により押動されてシャッター開閉電動機６ｂの駆動を停止させるシャッター閉鎖検出手段である。
【００３４】
２２はシャッター５が開放されたとき、基端リンク１７により押動されてシャッター開閉電動機６ｂの駆動を停止させるシャッター開放検出手段で、前記両検出手段２１，２２は、例えば、リミットスイッチからなり、シャッター開閉電動機６ｂの上面と側面に、それぞれ対応する基端リンク１７、従動リンク１８と接離可能に取付けられている。更に、図２に示す２３は、換気装置３の電動機６ａを駆動・停止させる換気装置操作スイッチ、２４，２４ａはシャッター開閉電動機６ｂ駆動用の操作スイッチである。そして、前記換気装置操作スイッチ２３とシャッター開閉電動機６ｂ駆動用の操作スイッチ２４，２４ａは、それぞれ後述する制御装置１０からの指令信号にて開閉するよう構成されている。
【００３５】
次に、送風装置２の電動機６をはじめ、換気装置３の電動機６ａ、シャッター開閉電動機６ｂを駆動制御する制御装置１０の構成について説明する。この制御装置１０は、基本的に畜舎１内の温度が事前に設定した温度の範囲内においては、送風装置２と換気装置３とを駆動するとともに、畜舎１内の温度が設定温度を上回ったとき（昇温）は、温度上昇に応じて送風装置２の送風量（気流）を増量するように電動機６の送風ファン７の回転数を増し、逆に、畜舎１内の温度が外気温の低下により設定温度より下に降下したときは、換気装置３の駆動を停止させるとともに、送風装置２自体もその送風量を温度降下に応じて減少させるべく送風ファン７の回転数を低下させるように構成されている。
【００３６】
制御装置１０は、該制御装置１０に設けた図示しない各種スイッチ類を操作することにより、事前に設定した運転プログラムに従って送風装置２，換気装置３を畜舎１内の温度状況に対応して駆動制御するように構成されており、その制御装置１０には、概略次に示すプログラムが具備されている（図３参照）。
【００３７】
（１）設定温度入力手段
設定温度入力手段３１は、操作者が制御装置１０の図示しない電源スイッチを投入した後、畜舎１内の現在温度、例えば、２０℃であればその温度の数字を畜舎温度設定手段（操作スイッチ）３０により手動にて入力することにより、前記入力した温度を畜舎１の現在の設定温度として記憶する機能と、前記設定温度に対応する送風装置２の送風ファン７の回転数を、後述する畜舎温度入力手段３５と送風装置駆動手段３２とに回転数指令信号として出力する機能とを具備したプログラム。前記送風装置２はその駆動により畜舎１内に気流を生起させる。
【００３８】
（２）送風装置駆動手段
送風装置駆動手段３２は、操作者が制御装置１０に設けた図示しない送風装置駆動スイッチを投入した場合、その投入信号により送風装置２に駆動指令信号を出力し、かつ、前記設定温度入力手段３１から出力された設定温度に対応する送風ファン７の回転数によって前記畜舎１内の各送風装置２を駆動させる機能と、送風装置２が駆動したことをシャッター「開」指令手段３３に伝えるための指令信号を出力する機能とを具備したプログラム。
【００３９】
（３）シャッター「開」指令手段
シャッター「開」指令手段３３は、送風装置駆動手段３２からのシャッター開放指令信号を受けると、シャッター開閉電動機６ｂの操作スイッチ２４に投入指令信号を出力して操作スイッチ２４の投入によりシャッター開閉電動機６ｂを駆動（正回転）させる機能と、シャッター開閉電動機６ｂの駆動途中において、シャッター開放検出手段（リミットスイッチ）２２が押動されてシャッター開閉電動機６ｂの通電回路の開放により前記シャッター開閉電動機６ｂが停止したとき、前記シャッター開放検出手段２２から「開」信号を受けて、図２に示す操作スイッチ２４に遮断指令信号を出力して操作スイッチ２４を開放し、かつ、前記シャッター開放検出手段２２から「開」信号に基づき換気装置駆動手段３４に駆動指令信号を出力する機能を具備したプログラム。前記のように、シャッター開閉電動機６ｂの駆動にてシャッター５を開放することにより、畜舎１の妻面１ａに設けた窓４を自動開放する。
【００４０】
（４）換気装置駆動手段
換気装置駆動手段３４は、前記シャッター「開」指令手段３３からの駆動指令信号により、図２に示す換気装置操作スイッチ２３に投入指令信号を出力して換気装置３を駆動させる機能と、後述する換気装置停止手段３７より換気装置停止指令信号が入力されたとき、換気装置操作スイッチ２３に遮断指令信号を出力する機能とを具備したプログラム。
【００４１】
（５）蓄舎温度入力手段
畜舎温度入力手段３５は、畜舎１内に取付けた温度センサーからなる畜舎温度検出手段２５にて検出された温度の検出信号が入力されると、前記検出温度が設定温度入力手段３１にて設定した温度より差異がある場合、検出温度に対応する送風装置２の送風ファン７の回転数信号を、送風量増減手段３６には回転数増減指令信号として出力し、換気装置停止手段３７には換気装置２の駆動を停止させる駆動停止指令信号をそれぞれ出力する機能と、前記畜舎温度検出手段２５にて検出した検出温度が事前に設定温度入力手段３１にて設定された温度と同温度の場合は、前記回転数増減指令信号を出力せず、設定温度に対応した送風装置2の送風ファン7の回転数信号を送風装置駆動手段３２に出力する機能とを具備したプログラム。
【００４２】
（６）送風量増減手段
送風量増減手段３６は、畜舎温度入力手段３５から入力される送風装置２の送風ファン７の回転数増減指令信号が、例えば、事前に設定した温度より高い場合は、例えば、設定温度が２０℃、検出温度が２１℃であれば、送風装置２の回転数増減指令信号は２１℃の温度に対応する送風ファン７の回転数信号を送風装置２に出力して、送風装置２の送風ファン7の回転数を増して回転させる機能を具備したプログラム。
【００４３】
この場合、例えば、畜舎１内の温度が２０℃に設定されていた場合の送風ファン７の回転数が３００回転／分である場合、畜舎温度検出手段２５にて検出した検出温度が２１℃の場合、送風装置２の送風ファン７の回転数を２０℃の場合に比べ、例えば、２０回転多くした３２０回転／分に増速して回転させ、また、逆に、前記検出温度が、例えば、１９℃である場合は、送風ファン７の回転数を２０回転少なくした２８０回転／分に減速して回転させることができるように、送風量増減手段３６には検出温度に対応した送風ファン7の回転数に係るデータが事前にプログラム設定されている。
【００４４】
（７）換気装置停止手段
換気装置停止手段３７は、畜舎温度検出手段２５から畜舎温度入力手段３５に入力される畜舎内検出温度が設定温度より低い場合、および、後述する送風装置停止手段３９から出力される換気装置停止指令信号が入力されたとき、換気装置駆動手段３４にそれぞれ換気装置３の駆動を停止させる換気装置停止指令信号を出力する機能と、シャッター「閉」指令手段３８にシャッター５を閉鎖するためのシャッター閉鎖指令信号を出力する機能とを具備したプログラム。
【００４５】
（８）シャッター「閉」指令手段
シャッター「閉」指令手段３８は、換気装置停止手段３７からのシャッター閉鎖指令信号を受けると、シャッター開閉電動機６ｂの図２に示す操作スイッチ２４ａに指令信号を出力して操作スイッチ２４ａの投入によりシャッター開閉電動機６ｂを駆動（逆回転）させる機能と、シャッター開閉電動機６ｂの駆動途中において、シャッター閉鎖検出手段（リミットスイッチ）２１が押動されてシャッター開閉電動機６ｂの通電回路を開放して前記シャッター開閉電動機６ｂが停止したとき、前記シャッター閉鎖検出手段２１から「閉」信号を受けて、前記操作スイッチ２４ａに遮断指令信号を出力して操作スイッチ２４ａを開放する機能を具備したプログラム。前記のように、シャッター開閉電動機６ｂの駆動によりシャッター５を閉鎖することにより、シャッター枠９ａに囲まれた空間４ｂ部分（妻面１ａの窓４内）を自動閉鎖するものである。
【００４６】
（９）送風装置停止手段
送風装置停止手段３９は、畜舎１内の送風装置２を必要に応じて停止させる場合、操作者が制御装置１０の図示しない送風装置停止用スイッチを遮断することにより、送風装置２の運転を停止させる機能と、前記換気装置停止手段３７に換気装置３の駆動を停止させる換気装置停止指令信号を出力する機能とを具備したプログラム。前記送風装置停止手段３９の作動により、送風装置２、換気装置３は運転を停止するとともに、シャッター開閉電動機６ｂの駆動によりシャッター５を閉鎖することにより、畜舎１の換気作業を終える。
【００４７】
次に、本発明の動作について説明する。送風装置２の駆動に際しては、制御装置１０に設けた図示しない電源スイッチを投入し、つづいて、畜舎温度設定手段３０の図示しない操作スイッチを手動操作して畜舎１内の現在温度が、例えば、操作者の体感、あるいは、温度計を目視して２０℃であれば、その数字を制御装置１０の設定温度入力手段３１に入力する。この後、制御装置１０の図示しない送風装置駆動スイッチを投入する（図４の１０および図５のＳ1，Ｓ2参照）。
【００４８】
前記送風装置駆動スイッチの投入により、制御装置１０の送風装置駆動手段３２は、設定温度入力手段３１から出力された設定温度に対応する送風ファン７の回転数信号を受け、畜舎１内に設けた各送風装置２の運転制御部１２に前記回転数信号に相当する制御指令信号として出力する。運転制御部１２は前記制御指令信号に基づきインバータ１３を駆動制御させて、送風装置２の電動機６を前記設定された送風ファン７の回転数信号に相当する回転数にて駆動し、送風ファン７により畜舎１内に気流を発生させる。即ち、畜舎１内において送風を開始する（図４の２および図５のＳ3参照）。
【００４９】
前記送風装置駆動手段３２により送風装置２を駆動させると同時に、前記送風装置駆動手段３２よりシャッター「開」指令手段３３に前記送風装置２が駆動したことを知らせるためのシャッター開放指令信号が出力される。シャッター「開」指令手段３３はシャッター開放指令信号を受けると、操作スイッチ２４に投入指令信号を出力して操作スイッチ２４を投入する。操作スイッチ２４の投入によりシャッター開閉電動機６ｂを駆動する（図５のＳ4参照）。
【００５０】
シャッター開閉電動機６ｂは操作スイッチ２４の投入により図６において、基端リンク１７を時計方向に回動して従動リンク１８が押し下げられると、該従動リンク１８に連結片１９を介して駆動可能に連結された連結板１６を押し下げ、この連結板１６に枢着されたシャッターフランジ１４に取付けたシャッター５を支持ピン１５を支点として時計方向に回動して、シャッター枠９ａに囲まれた空間４ｂ部分（畜舎１内の妻面１ａに開口した窓４内）を徐々に開放する。即ち、シャッター装置９の前記空間４ｂ部分を自動開放する。
【００５１】
前記シャッター開閉電動機６ｂの駆動によりシャッター５を徐々に開放し、このシャッター５が所定の開放（シャッター５が図７のように、ほぼ水平位置に達したとき、即ち、シャッター５が開放したとき）位置に到達すると、図７に示すように、基端リンク１７がシャッター開放検出手段（リミットスイッチ）２２を押動（開放）することにより、図２に示すシャッター開閉電動機６ｂの通電回路を開放（遮断）し、シャッター開閉電動機６ｂの駆動を停止させる（図４の６ｂ，２２および図５のＳ4参照）。
【００５２】
シャッター開放検出手段２２が開放（遮断）されると、その「開」信号はシャッター「開」指令手段３３に送出され、シャッター「開」指令手段３３から操作スイッチ２４に遮断指令信号が出力されて操作スイッチ２４を開放（遮断）する。前記操作スイッチ２４の開放に伴い、シャッター閉鎖検出手段（リミットスイッチ）２１は開放状態から投入状態に移行する。一方、シャッター開放検出手段２２は操作スイッチ２４の開放指令と同時に、換気装置駆動手段３４に駆動指令信号を出力して換気装置駆動手段３４を作動させ、換気装置操作スイッチ２３に投入指令信号を出力し、電動機６ａを起動することにより換気装置３を駆動させる（図５のＳ4，Ｓ5参照）。
【００５３】
前記換気装置３の駆動により、送風装置２の駆動にて畜舎１内に生起された気流は順次畜舎１内に拡散されるとともに、換気装置３によって、畜舎１内をその長さ方向に流通しながら、シャッター装置９の窓４を通って畜舎１の外に排出される。前記換気装置３にて畜舎１内の気流を外部に排出することにより、今度は逆に畜舎１の外部から新鮮な外気の導入が促進され、畜舎１内を気流の生起と外気の導入によって清浄に換気する。この換気により畜舎１内の臭気や湿潤な雰囲気が外部に排出され、畜舎１内を清潔に、かつ、乾燥した状態に維持する（図４の３および図５のＳ5，Ｓ6参照）。
【００５４】
前記送風装置２，換気装置３の駆動により畜舎１内を換気している間は、常に畜舎１内の温度を畜舎温度検出手段（温度センサ）２５により計測し、前記計測した検出温度は制御装置１０の畜舎温度入力手段３５に逐次入力される。即ち、畜舎１内の温度が外気温の上昇や外気の導入を促進することにより、事前に設定した送風装置２駆動前の設定温度と差異が生じることを想定して、例えば、畜舎１内の温度を２０℃に設定して換気を行っているとき、畜舎温度検出手段２５によって検出された畜舎１内の温度は、前記のように、順次制御装置１０に設けた畜舎温度入力手段３５に入力される（図５のＳ7，Ｓ8参照）。
【００５５】
前記畜舎温度入力手段３５に入力された検出温度が設定温度入力手段３１から入力された設定温度と差異がない場合、即ち、検出温度が事前に設定した２０℃であれば、送風装置２は設定温度に基づき設定された回転数信号により、これまでと同じ回転数で送風ファン７を駆動するように制御されている。即ち、送風装置２は定速運転にて駆動制御されている（図５のＳ81参照）。
【００５６】
しかし、畜舎温度入力手段３５に入力された畜舎温度検出手段２５にて検出された畜舎１内温度が設定温度より高い場合、例えば、２１℃であれば、２１℃の温度に対応する送風ファン７の回転数増減指令信号を、畜舎温度入力手段３５から送風量増減手段３６に出力する。送風量増減手段３６は、事前にプログラム設定されている前記２１℃の温度に対応する送風ファン７の回転数増減指令信号を送風装置２の運転制御部１２に出力し、送風装置２の送風ファン７を、２１℃の温度に対応する回転数まで増速して回転させる。即ち、送風装置２を高速回転させて、畜舎１内に気流の発生を増して畜舎１内の温度が上昇するのを抑制する（図５のＳ9参照）。
【００５７】
一方、逆に畜舎１内の温度が外気温の変化によって設定温度より低くなった場合、即ち、畜舎温度検出手段２５にて検出される畜舎１内の温度が設定温度（２０℃）より低い場合、例えば、検出温度が１９℃であれば、その検出温度が畜舎温度入力手段３５に入力されると、該畜舎温度入力手段３５より送風量増減手段３６には、１９℃の温度に対応する送風ファン７の回転数増減指令信号が入力され、これにより、送風量増減手段３６は１９℃の温度に対応する回転数まで減速した回転数増減指令信号を送風装置２の運転制御部１２に出力して送風ファン７を回転させ、畜舎１内に生起する気流の送風量を軽減する（図４の２５および図５のＳ10参照）。
【００５８】
また、前記のように畜舎温度検出手段２５にて、畜舎１内温度が設定温度（２０℃）より低い温度（１９℃）が検出された場合、その検出温度が畜舎温度入力手段３５に入力されると、畜舎温度入力手段３５は、換気装置停止手段３７に指令信号を出力して換気装置停止手段３７を作動させ、この換気装置停止手段３７より換気装置駆動手段３４に換気装置停止指令信号を出力するとともに、シャッター「閉」指令手段３８にシャッター５を閉鎖するためのシャッター閉鎖指令信号を出力する。換気装置駆動手段３４は前記換気装置停止指令信号を受けると、換気装置操作スイッチ２３に遮断指令を出力して、換気装置操作スイッチ２３を遮断することにより換気装置３の駆動を停止させる（図４の３および図５のＳ10参照）。
【００５９】
一方、前記シャッター「閉」指令手段３８にシャッター閉鎖指令信号が出力されると、シャッター「閉」指令手段３８は、シャッター開閉電動機６ｂの操作スイッチ２４ａに投入指令信号を出力して操作スイッチ２４ａを投入する。操作スイッチ２４ａが投入されると、シャッター閉鎖検出手段２１はすでに投入状態にあるため、シャッター開閉電動機６ｂの通電回路は閉路されておりシャッター開閉電動機６ｂは直ちにシャッター５の開放時とは逆方向に駆動する。即ち、図７において、シャッター５を反時計方向（閉鎖する方向）に移動させるために適した方向に回転させる。
【００６０】
この結果、基端リンク１７を図７の反時計方向に回動して従動リンク１８を図７の上方に押し上げる。そして、従動リンク１８が押し上げられると、従動リンク１８に連結片１９を介して連結されている連結板１６は上方に押し上げられ、この連結板１６に枢着されているシャッター５を、支持ピン１５を支点として反時計方向に回動し、シャッター枠９ａ内の空間４ｂを徐々に閉鎖する。即ち、シャッター装置９を閉鎖する。
【００６１】
前記シャッター開閉電動機６ｂの駆動により、シャッター５が徐々に自動閉鎖されて、シャッター５自体が窓４内の空間４ｂ部分を閉鎖する位置（シャッター５が図６に示すように、ほぼ垂直となる位置）に達すると、従動リンク１８がシャッター閉鎖検出手段（リミットスイッチ）２１を押動（開放）し、図２に示すように、シャッター開閉電動機６ｂの通電回路を開放（遮断）して、シャッター開閉電動機６ｂの駆動を停止させる（図４の６ｂ，２１および図５のＳ10参照）。
【００６２】
前記シャッター閉鎖検出手段２１の開放に伴い、その「閉」信号は、シャッター「閉」指令手段３８に出力される。シャッター「閉」指令手段３８は前記「閉」信号の入力により、操作スイッチ２４ａに遮断指令信号を出力して同スイッチ２４ａを遮断（開放）する。前記操作スイッチ２４ａの遮断により、シャッター開放検出手段２２（リミットスイッチ）は、開放状態から投入状態に移行する（図４の６ｂ，２１および図５のＳ10参照）。
【００６３】
前記のように、図５のステップＳ8において、畜舎温度検出手段２５により検出した畜舎１内の検出温度が事前に設定した設定温度より降下した場合は、図５のステップＳ10に移行して換気装置３の運転を停止するとともに、シャッター装置９を閉鎖し、この状態で送風装置２を検出温度に対応して送風ファン７を減速回転させることにより、畜舎１内において気流生起量を少なくする。これにより、畜舎１内の家畜に温度降下時に気流の送風量を変化させないことによって生じる病弊（病気，不快感，ストレス）を回避し、かつ、減速した送風状態を継続することにより、畜舎１内の乾燥状態を良好に促進して、家畜を衛生的に飼育することが可能とする。
【００６４】
また、図５のステップＳ8において、畜舎１内の検出温度が事前に設定した設定温度と同じである場合、図５のステップＳ81に移行して送風装置２を等速運転にて駆動するように構成されている。
【００６５】
以上説明したように、本発明においては、送風装置２を駆動する場合は事前に把握した畜舎１内の温度を制御装置１０に設定温度として入力し、この設定温度に応じて送風装置２における送風ファン７の回転数が選定されて（例えば、畜舎１内の温度を２０℃と設定した場合、２０℃における送風ファン７の回転数を事前にプログラム設定しておくことにより、送風ファン７を２０℃の温度に適した回転数にて回転するように構成されている）、電動機６に回転数信号に相当する制御指令信号を出力する。これにより、送風ファン７は電動機６によって設定温度に対応する回転数により回転して、畜舎１内に気流を生起させるとともに、換気装置３の駆動により畜舎１内の気流と、畜舎１外の外気とを交流させて畜舎１内の空気を清浄に保持させる。
【００６６】
一方、畜舎１内の温度は、送風装置２の駆動後畜舎温度検出手段２５により常時検出し、この検出温度が事前に設定した温度より高い場合は、送風ファン７を検出温度に対応する回転数にて高速回転させることにより、畜舎１内の温度が急上昇して家畜の飼育に悪影響がおよぶのを合理的に回避し、また、畜舎１内の温度が外気温の侵入によって設定温度を下回った場合は、送風ファン７の回転数を降下した温度に対応する回転数にて減速回転させ、かつ、換気装置３は外気の流入による温度低下を防ぐために駆動を停止させ、シャッター５を自動閉鎖する。この結果、外気が畜舎１内に強制的に流入するのを確実に回避し、畜舎１内が外気の流入によって温度が更に降下するという問題を良好に抑制する。
【００６７】
そして、畜舎温度検出手段２５により常時畜舎１内の温度を検出し、検出温度が設定温度を超えて上昇した場合は、図５のステップＳ9に戻って、送風装置２の高速回転を継続する。また、検出温度が設定温度を下回る状態が続いておれば、図５のステップＳ10に戻り送風装置２の低速運転を継続する。更に、畜舎１内の検出温度が設定温度と同一であれば、即ち、変化していなければ送風装置２は定速運転を継続する（図５のＳ11，Ｓ12参照）。
【００６８】
そして、前記送風装置２を図５のステップＳ12において定速運転させる場合、畜舎１内の検出温度が送風装置２を駆動したとき（ステップＳ3）の設定温度と同じであれば特別問題はないが、前記送風装置２の定速運転中において畜舎１内の検出温度が設定温度を下回った場合とか、あるいは、逆に、設定温度を超えた場合は、図５のステップＳ13からステップＳ11に移行し、送風装置２を図５のステップＳ9にて高速運転させるか、図５のステップＳ13からステップＳ11，Ｓ10に移行して減速運転させる（図５のＳ13参照）。
【００６９】
換気装置３の駆動については、図５のステップＳ4にて詳述したので詳細な説明は割愛するが、畜舎１内の検出温度が設定温度まで上昇すると、畜舎温度入力手段３５から送風装置駆動手段３２に送風装置２を定速運転（設定温度に対応する送風ファン７の回転数）させるための指令信号が出力されて、送風装置２を定速運転させるとともに、送風装置駆動手段３２よりシャッター「開」指令手段３３にシャッター開放指令信号が出力され、シャッター開閉電動機６ｂを駆動して、シャッター５を開放すると、シャッター「開」指令手段３３から換気装置駆動手段３４を通じて駆動指令信号を換気装置３に送出し換気装置３を再駆動させる。
【００７０】
畜舎１内において、送風装置２の駆動を停止する場合は、制御装置１０に設けた図示しない送風装置駆動スイッチを開放（遮断）する（図５のステップＳ14参照）ことにより停止させる（図５のＳ15参照）。前記送風装置２の運転が停止すると、制御装置１０の送風装置停止手段３９から換気装置駆動手段３４に換気装置停止手段３７を介して換気装置停止指令信号が出力されて換気装置３は運転を停止する。この後、シャッター装置９を閉鎖させることになるが、この場合は、図５のステップＳ10により詳述した場合と同様の動作となるので詳細説明は割愛するが、換気装置３の運転停止後シャッター開閉電動機６ｂを駆動して、シャッター５を自動閉鎖するものである（図５のＳ14，Ｓ15参照）。
【００７１】
また、畜舎１内の検出温度が設定温度より高い状態、あるいは、低い状態で送風装置２を停止する場合は、図５のステップＳ14と同様の操作を行うことにより、制御装置１０の図示しない送風装置駆動スイッチを開放することにより送風装置２を停止させ、以後、換気装置３の停止、シャッター装置９の閉鎖については、図５のステップＳ10により詳述した内容と同じであるので説明は割愛する（図５のＳ15参照）。
【００７２】
なお、図５のステップＳ11において、畜舎１内温度が設定温度を下回っている状態から、設定温度を超えるような状態となった場合は、図５のステップＳ4に移行し、シャッター装置９を駆動してシャッター５を開放し、送風装置２と換気装置３とを駆動させればよい。
【図面の簡単な説明】
【００７３】
【図１】本発明の畜舎用換気装置を畜舎に取付けた状態を示す斜視図である。
【図２】本発明の畜舎用換気装置を概略的に示す結線図である。
【図３】本発明の畜舎用換気装置の制御装置の構成を概略的に示すブロック図である。
【図４】本発明の畜舎用換気装置の動作を概略的に示すタイミングチャート図である。
【図５】同じく動作を概略的に説明するためのフローチャート図である。
【図６】シャッター装置の閉鎖状態を示す要部縦断面図である。
【図７】シャッター装置の開放状態を示す要部縦断面図である。
【図８】シャッター装置の背面図である。
【符号の説明】
【００７４】
１  畜舎
２  送風装置
３  換気装置
５  シャッター
６  電動機（送風装置）
６ａ  電動機（換気装置）
６ｂ  シャッター開閉電動機
７  送風ファン
９  シャッター装置
１０  制御装置
１６  連結板
１７  基端リンク
１８  従動リンク
１９  連結片
２１  シャッター閉鎖検出手段（リミットスイッチ）
２２  シャッター開放検出手段（リミットスイッチ）
２４，２４ａ  操作スイッチ
２５  畜舎温度検出手段
３０  畜舎温度設定手段
３１  設定温度入力手段
３２  送風装置駆動手段
３３  シャッター「開」指令手段
３４  換気装置駆動手段
３５  畜舎温度入力手段
３６  送風量増減手段
３７  換気装置停止手段
３８  シャッター「閉」指令手段
３９  送風装置停止手段
【図１】
2007093062.tif 000003
【図２】
2007093062.tif 000004
【図３】
2007093062.tif 000005
【図４】
2007093062.tif 000006
【図５】
2007093062.tif 000007
【図６】
2007093062.tif 000008
【図７】
2007093062.tif 000009
【図８】
2007093062.tif 000010